(57)【特許請求の範囲】
【請求項１】
記録媒体に磁気的に作用する磁気ヘッドと、該磁気ヘッドを変位可能に保持する板バネ部と、前記磁気ヘッドを前記記録媒体に対して接近または離間させる方向に変位させる変位手段とを有する磁気ヘッド装置であって、
前記板バネ部は、前記磁気ヘッドを固定する磁気ヘッド固定部を先端に有すると共に、前記磁気ヘッド固定部の基部において可撓部を有し、
前記変位手段は、前記板バネ部の前記磁気ヘッド固定部を押圧する押圧部を先端に有し、
前記磁気ヘッド固定部と前記可撓部と前記押圧部とは、何れも記録媒体の記録面が延在する領域に配設されており、
前記磁気ヘッドがロード状態にある場合には、前記押圧部は前記磁気ヘッド固定部と接触しない第１位置に待機し、前記磁気ヘッド固定部は前記可撓部を支点として記憶媒体の記憶面側に傾斜しており、
前記磁気ヘッドがアンロード状態にある場合には、前記押圧部は前記磁気ヘッド固定部を押圧する第２位置へ移動し、前記磁気ヘッド固定部は前記可撓部を支点として記憶媒体の記憶面とほぼ平行となり、
前記第１位置において、前記押圧部は前記可撓部と記憶媒体の記憶面との間に位置することを特徴とする磁気ヘッド装置。
【発明の詳細な説明】
【０００１】
【発明の属する技術分野】
本発明は、光磁気ディスク等の光磁気記録媒体に対して記録・再生を行うディスク装置に用いられる磁気ヘッド装置に関するものである。
【０００２】
【従来の技術】
従来より用いられているＭＤなどのディスク装置（以下「ディスク装置」とする）は、情報の記録時には、光磁気ディスク（以下「ディスク」とする）の一方の面から磁性体薄膜をキュリー点または温度補償点以上に加熱可能な高強度のレーザー光を照射するとともに、ディスクの他方の面のレーザー光に対抗する部分に垂直磁界を印加し、磁性体薄膜の磁化の方向を反転させることにより、デジタル情報の記録を行う。
【０００３】
また、情報の再生時には、ディスクに磁性体薄膜の磁化の方向に影響を与えない強度のレーザー光を照射し、ディスクの磁性体薄膜からの反射光を検出し、情報の再生を行う。
【０００４】
このようなディスク装置は、小型化、薄型化が要求されており、それに伴い、装置に使用される磁気ヘッドも小型化、薄型化が要求されている。
【０００５】
図１１および１２は、従来のディスク装置に搭載される磁気ヘッド装置の磁気ヘッドのロード状態およびアンロード状態を示す側面図である。
【０００６】
従来の磁気ヘッド装置７は、ディスクに記録磁界を印加する磁気ヘッド７１、磁気ヘッド７１を保持する支持部材７２、支持部材７２をシャーシ７７に回動自在に取り付ける保持部材７３、支持部材７２を押圧し、磁気ヘッド７１を昇降させる昇降レバー７５などから構成されている。
【０００７】
支持部材７２は、板バネ材から構成されており、先端には磁気ヘッド７１が取り付けられている。
【０００８】
この支持部材７２は、図１１および図１２中上下方向に移動する昇降レバー７５の駆動により、保持部材７３に設けられた軸７４を中心に上下に回動するよう構成されている。そして、この支持部材７２の変位により、磁気ヘッド７１は、図１１に示すロード状態から、図１２に示すアンロード状態へと変位するようになっている。
【０００９】
ロード状態とは、図１１に示すように、昇降レバー７５が下降し、支持部材７２の付勢力（弾性力）により磁気ヘッド７１がディスクの保護膜上に摺接した状態を指す。このロード状態で磁気ヘッド７１によるディスク７６への記録が行われる。
【００１０】
また、アンロード状態とは、図１２に示すように、昇降レバー７５が上昇し、磁気ヘッド７１がディスク７６から離間した状態を指す。このアンロード状態でケーシング（図示せず）からのディスクの着脱が行われる。
【００１１】
【発明が解決しようとする課題】
しかしながら、従来の磁気ヘッド装置７においては、磁気ヘッド７１をディスク７４に摺接させる際、昇降レバー７３の上下動により支持部材７２を変位させる構成であった。そのため、支持部材７２とディスク７４との間に、当該昇降レバー７３を昇降させるための上下方向のスペースを設けなくてはならなかった。
【００１２】
また、この構造においては、昇降レバー７３の上昇により、図１２に示すアンロード状態の姿勢に支持部材７２が変位した場合に、変位の衝撃などにより磁気ヘッド７１の先端が図中上方向に跳ね上がる場合がある。
【００１３】
そのため、この構造においては、磁気ヘッド７１が跳ね上がった場合に、磁気ヘッド７１の図１１および図１２中上方に位置するケーシングなどの部品（図示せず）と、磁気ヘッド７１の上部とが接触することを防止するため、これらの間に上下方向の間隙を設けなくてはならかった。
【００１４】
そして、これらの間隙のスペースにより、装置の小型化・薄型化が阻害されていた。
【００１５】
本発明は、以上の問題点に鑑みなされたものであり、簡単な構成により、装置の小型化・薄型化を図ることのできる磁気ヘッド装置を提供することを目的とする。
【００１６】
【課題を解決するための手段】
このような目的は、以下の（１）の本発明により達成される。
【００１７】
（１）記録媒体に磁気的に作用する磁気ヘッドと、該磁気ヘッドを変位可能に保持する板バネ部と、前記磁気ヘッドを前記記録媒体に対して接近または離間させる方向に変位させる変位手段とを有する磁気ヘッド装置であって、前記板バネ部は、前記磁気ヘッドを固定する磁気ヘッド固定部を先端に有すると共に、前記磁気ヘッド固定部の基部において可撓部を有し、前記変位手段は、前記板バネ部の前記磁気ヘッド固定部を押圧する押圧部を先端に有し、前記磁気ヘッド固定部と前記可撓部と前記押圧部とは、何れも記録媒体の記録面が延在する領域に配設されており、前記磁気ヘッドがロード状態にある場合には、前記押圧部は前記磁気ヘッド固定部と接触しない第１位置に待機し、前記磁気ヘッド固定部は前記可撓部を支点として記憶媒体の記憶面側に傾斜しており、前記磁気ヘッドがアンロード状態にある場合には、前記押圧部は前記磁気ヘッド固定部を押圧する第２位置へ移動し、前記磁気ヘッド固定部は前記可撓部を支点として記憶媒体の記憶面とほぼ平行となり、前記第１位置において、前記押圧部は前記可撓部と記憶媒体の記憶面との間に位置することを特徴とする磁気ヘッド装置。
【００２５】
本発明の他の目的、作用および効果は、図面を参照して行う以下の実施形態の説明から、より明らかとなるであろう。
【００２６】
【発明の実施の形態】
以下、本発明に係る磁気ヘッド装置について添付図面を参照して説明する。
【００２７】
図１は、本発明の磁気ヘッド装置の全体構造を示す上面図である。図２は、本発明の磁気ヘッド装置の全体構成を示す下面図である。図３は、本発明の磁気ヘッド装置の磁気ヘッドのロード状態を示す側面図である。図４は、本発明の磁気ヘッド装置の磁気ヘッドのアンロード状態を示す側面図である。図５は、本発明の磁気ヘッド装置の磁気ヘッドが上方へ跳ね上げられた状態を示す側面図である。図６は、本発明の磁気ヘッド装置に係る板バネ部を示す平面図である。図７は、本発明の磁気ヘッド装置に係る板バネ部を示す側面図である。図８は、図３のＡ−Ａ′線断面図である。図９は、図５のＢ−Ｂ′線断面図である。図１０は、本発明の磁気ヘッド装置に係る規制部材を示す平面図である。
【００２８】
本発明の磁気ヘッド装置１は、例えば光磁気ディスク装置などのディスク装置のホルダ（図示せず）に装填された光磁気ディスクなどのディスク６０に対して書き込みを行う際に、ディスク６０の一方の面（図３、図４中下面）からディスク６０の磁性体薄膜をキュリー点または温度補償点以上に加熱可能な強度のレーザー光を照射するとともに、ディスク６０の他方の面（図３、図４中上面）から磁気ヘッド２により垂直な磁界を印加し、レーザー光を照射した部分の磁性体薄膜の磁化の方向を反転させることにより、各種デジタル情報をディスクへと書き込む際に用いられる。
【００２９】
本発明の磁気ヘッド装置１は、図１ないし図４に示すように、磁気ヘッド２と、板バネ部３と、押圧部材５２（図３、図４参照）と、保持部材５１などから構成される。この磁気ヘッド装置１は、保持部材５１を介してディスク装置のシャーシ６２に固定されている。
【００３０】
以下、各部の構成について説明する。
磁気ヘッド２は、ディスク６０に摺接するスライダ２１を有している。スライダ２１は、その内部に図示しないコアとコイルとを搭載した構成となっている。
【００３１】
板バネ部３は、図６および図７に示すように、磁気ヘッド固定部３１と、胴部３２と、可撓部３３と、基部３４とからなる。板バネ部３は、磁気ヘッド２を変位可能に固定するとともに、磁気ヘッド２を所定の圧力で付勢し、ディスク６０に当接させる機能を有している。また、板バネ部３は、例えばステンレスなどの薄い金属板材で構成されている。
【００３２】
この板バネ部３の上面側には、磁気ヘッド２を外部の回路（図示せず）に電気的に接続するためのフレキシブルプリント配線板５３が設けられている。
【００３３】
磁気ヘッド固定部３１は、開口３１１の周囲に位置するコの字状の上側片３１２と、開口３１１の内部に延出する下側片３１３とを有する。
【００３４】
下側片３１３は、図６に示すように、開口３１１の基端側の辺から先端側下方に向かって延出しており、上側片３１２とＶ字状をなすよう構成されている。また、この下側片３１３の下側の面は、押圧部材５２に当接し、磁気ヘッド２を図３中上方へと案内する案内面３１４となっている。磁気ヘッド２は、図３および図４に示すように、その基端部がこれら上側片３１２および下側片３１３の間に挟持された状態で、例えば接着などにより固定される。
【００３５】
胴部３２は、板バネ部３のほぼ中央に位置している。この胴部３２には、後述する規制部材４の中央部４２が固定される。
【００３６】
可撓部３３は、胴部３２と基部３４との間に位置している。また、可撓部３３は、弾性的に変形し得るよう構成されている。この可撓部３３には、当該可撓部３３をほぼ真直な状態に保持する保持手段として折曲部３３１、３３１が設けられている。
【００３７】
折曲部３３１、３３１は、図２および図６に示すように、板バネ部３の可撓部３３から基部３４にかけて設けられている。また、折曲部３３１、３３１は、図６に示すように、板バネ部３の長手方向に伸びるほぼコの字状の切込部３３２、３３２の内側部分３３３、３３３を図８に示すように、下側に折り曲げることにより形成されている。また、折曲部３３１、３３１は、その折曲線の長手方向が、当該可撓部３３の長手方向となるように構成されている。
【００３８】
このような折曲部３３１、３３１を設けることにより、可撓部３３は、折曲部３３１、３３１を設けない場合と比較し、折曲部３３１、３３１の長手方向に垂直な方向（図３および図４中上下方向）の外力に対して高い強度を有する構造となる。これにより、可撓部３３は、若干の外力が加わった場合にも、ほぼ真直な状態を保持するようになる。
【００３９】
すなわち、可撓部３３に加わる外力が所定の値未満である場合、例えば、図３に示すような磁気ヘッド２のロード状態、あるいは図４に示すような磁気ヘッド２のアンロード状態においては、可撓部３３は、前述した折曲部３３１、３３１の効果により、図８に示すような横断面形状を保持する。そして、このような横断面形状を保持している間、可撓部３３は、図３および図４に示すようにほぼ真直な状態を保持する。
【００４０】
一方、可撓部３３に加わる外力が所定の値以上となった場合、例えば、図５に示すように、ディスク６０の装填・排出の際に、ディスク６０のホルダ（図示せず）の跳ね上げにより、押圧部材５２が磁気ヘッド２および板バネ部３を上方へと持ち上げた場合、可撓部３３は、図９に示すような横断面形状となり、図５に示すように、撓んだ状態となる。
【００４１】
可撓部３３をこのような構成とすることで、まず、図４に示す磁気ヘッド２のアンロード状態において、押圧部材５２の押圧により板バネ部３の先端部が上方へと押し上げられた場合に、板バネ部３ならびに可撓部３３をほぼ真直な状態に保持することができる。
【００４２】
これにより、磁気ヘッド２のアンロード状態において、板バネ部３全体が押圧部材５２の押圧により上方へと反り返り、磁気ヘッド２の先端がケーシングに当接することを防止できる。
【００４３】
また、可撓部３３をこのように構成することで、図５に示す跳ね上げ状態においては、磁気ヘッド装置１の先端側を安定的に回動させることができる。
【００４４】
なお、各折曲部３３１、３３１の折曲線を挟む２つの平面がなす角度が４５°未満となるように折り曲げることが好ましく、このような設定とすることで、可撓部３３をスムースに撓ませることができる。
【００４５】
また、本実施形態においては、可撓部３３の内側部分３３３、３３３の端部３３４、３３４（内側の部分）を、図８に示すように、内側部分３３３、３３３の基端部の各折曲部３３１、３３１と逆の方向に折り曲げている。この端部３３４、３３４の折り曲げ角度は、好ましくは、内側部分３３３、３３３の各基端部の折り曲げ角度とほぼ等しいか、あるいは若干大きめに設定される。
【００４６】
このように、内側部分３３３、３３３の端部３３４、３３４を折り曲げることで、可撓部３３をよりスムースに撓ませることができる。
【００４７】
また、各折曲部３３１、３３１は、当該板バネ部３の長手方向の中心軸を挟んで左右対称に設けることが好ましい。また、本実施形態においては、各折曲部３３１、３３１の折曲線が互いに平行になるように構成しているが、必ずしもこの限りではない。
【００４８】
なお、本実施形態においては、板バネ部３の内側部分３３３、３３３を裏面側（図３および図４中下側）に折り曲げることにより折曲部３３１、３３１を構成しているが、内側部分３３３、３３３を表面側（図３および図４中上側）に折り曲げることにより折曲部を構成してもよい。
【００４９】
また、切込部３３２、３３２の形状も、本実施形態において一例に挙げたコの字状に限らず、半円状、Ｖ字状、あるいはその他の形状とすることが可能である。
【００５０】
また、可撓部３３に切込部３３２、３３２を設けず、可撓部３３の両側部を折り曲げた場合にも、本実施形態の構成と同様の効果が得られ、可撓部３３をほぼ真直な状態に保持することができる。
【００５１】
また、本実施形態においては、上述した内側部分３３３、３３３を折り曲げることによって可撓部３３をほぼ真直な状態に保持しているが、必ずしもこの限りではなく、例えば、内側部分３３３、３３３を円弧状に撓んだ形状とすることにより、可撓部３３をほぼ真直な状態に保持することも可能である。
【００５２】
規制部材４は、先端部４１、４１と中央部４２と脚部４３、４３とからなる。中央部４２は、板バネ部３の胴部３２に固定されている。また、先端部４１、４１および脚部４３、４３は、板バネ部３に固定されておらず、フリーな状態となっている。
【００５３】
先端部４１、４１は、当該規制部材４の長手方向に垂直な規制部４１１と、該規制部４１１の両端からほぼ垂直に延出する腕部４１２、４１２とから構成されており、コの字状をなしている。
【００５４】
規制部４１１は、押圧部材５２の押圧により磁気ヘッド２が図４に示すアンロード状態となった場合に、磁気ヘッド２の図４中上部に当接し、磁気ヘッド２の上方への移動を規制する。
【００５５】
中央部４２は、その下面が板バネ部３の胴部３２の上面と熱溶着あるいは接着などによって固定されている。板バネ部３の胴部３２は、この中央部４２を芯材として真直な形状を保持するようになっている。
【００５６】
脚部４３、４３は、中央部４２の基端側の両端から当該規制部材４の長手方向に延出している。脚部４３、４３は、板バネ部３に固定されてはおらず、フリーな状態となっている。また、脚部４３、４３は、可撓部３３が撓む際の撓み部分を位置決めする機能を有している。
【００５７】
すなわち、脚部４３、４３は、その先端（板バネ部３の基端側の端部）が、可撓部３３の中央部付近に位置するよう構成されており、可撓部３３が撓む際、すなわち磁気ヘッド２が図５中に示すように上方へと変位する際に、この先端部４１、４１が可撓部３３の上面を押圧するよう構成されている。
【００５８】
この押圧により、可撓部３３は、内側部分３３３、３３３より幅が小さく、比較的強度の弱い切込部３３２、３３２の端部で折れ曲がることなく、図５に示すように、切込部３３２、３３２の中央部付近、つまり内側部分３３３、３３３の中央部付近で撓むこととなる。
【００５９】
規制部材４は、好ましくは、板バネ部３より厚手のステンレスなどの金属板材で構成される。これにより、板バネ部３の撓みに伴って規制部材４が撓むことを防止でき、板バネ部３を安定的に支持することができる。
【００６０】
なお、本実施形態においては、規制部材４を芯材として板バネ部３の胴部３２の形状を保持しているが、必ずしもこの限りではなく、例えば、板バネ部３の胴部３２の両側部を垂直に折り曲げることによって板バネ部３の形状を保持することもできる。このように板バネ部３の両側部を折り曲げることによって板バネ部３の形状を保持する構成とした場合には、磁気ヘッド２の上方への移動を規制する機能を有するアームを別部材で設ける必要がある。
【００６１】
保持部材５１は、図１に示すように、ほぼ長方形状をなしており、板バネ部３の基部に熱溶着などにより固定されている。この保持部材５１は、例えばステンレスなどの金属板材で構成されている。
【００６２】
この保持部材５１は、当該磁気ヘッド装置１をシャーシ６２へと取り付ける際に、板バネ部３の基端部の形状を保持するとともに、板バネ部３をシャーシ６２へと安定的に固定する機能を有している。
【００６３】
また、保持部材５１は、図２に示すように、その可撓部３３側の端部が内側部分３３３、３３３の上面に位置するようになっており、前述した規制部材４の脚部４３、４３と同様に、可撓部３３の撓みの位置を規制する機能を有している。
【００６４】
押圧部材５２は、図３および図４に示すように、板バネ部３のディスク６０側に設けられており、板バネ部３とディスク６０のカバー６１との間に位置している。この押圧部材５２は、ディスク６０のホルダ（図示せず）に対して摺動自在に取り付けられており、図５に示すようにホルダが跳ね上げられた場合に、ホルダとともに上方へと変位し、磁気ヘッド２および板バネ部３を上方へと押圧する。
【００６５】
押圧部材５２は、ディスク６０の記録面（図３および図４中下側の面）にほぼ平行に移動するよう構成されており、板バネ部３の基端側と先端側との間を摺動するよう構成されている。この押圧部材５２の駆動には、例えばラックギアおよびピニオンギアからなるスライド駆動機構が用いられる。
【００６６】
この押圧部材５２は、その先端部により板バネ部３の下側片３１３の案内面３１４を押圧し、案内面３１４に沿って磁気ヘッド２を図３に示すロード状態から図４に示すアンロード状態へと変位させる機能を有している。
【００６７】
本実施形態においては、このように、ディスク６０の記録面にほぼ平行に摺動する押圧部材５２により、磁気ヘッド２を押圧し、上昇・下降させる構成とすることで、上述した従来の構造のように、押圧部材５２が上下動するためのスペースを必要としない構成となる。したがって、当該磁気ヘッド装置１が搭載されるディスク装置を小型、薄型に構成することができる。
【００６８】
なお、本実施形態においては、磁気ヘッド２側に案内面３１４を設けているが、必ずしもこの限りでなく、押圧部材５２側に磁気ヘッド２を直接的あるいは間接的に案内する案内面を設けてもよい。
【００６９】
また、押圧部材５２の駆動機構は、当該押圧部材５２をディスク６０の記録面にほぼ平行に駆動することができれば、どのようなものであってもよく、ディスク装置を構成するケーシングやホルダーなどの形状に合わせて適宜選択することができる。
【００７０】
また、本実施形態においては、押圧部材５２をディスク６０の記録面に対してほぼ平行に摺動させる構造となっているが、必ずしもこの限りではなく、例えば、押圧部材５２を図３中右下方から左上方に向かって摺動させる構造とすることもできる。
【００７１】
また、本実施形態においては、押圧部材５２を板バネ部３の基端部と先端部との間を摺動するよう構成しているが、必ずしもこの限りではなく、押圧部材５２を板バネ部３の長手方向に垂直な方向に摺動させることもできる。
この押圧部材５２の動作やその他の機能については後に詳述する。
【００７２】
以下、本実施形態の磁気ヘッド装置１の動作、すなわち磁気ヘッド２をロード状態からアンロード状態へと変位させる場合の各部の動作について説明する。
【００７３】
図３に磁気ヘッド２のロード状態を示す。
この状態においては、磁気ヘッド２は、板バネ部３の付勢力により、所定の圧力でディスク６０の図中上面に当接している。また、押圧部材５２は、図３中右側の第１の位置に位置している。
【００７４】
この状態から磁気ヘッド２の退避動作が開始すると、押圧部材５２は、図３に示す第１の位置から図４に示す第２の位置へと摺動し、変位する。この変位の際に、押圧部材５２の先端部は、板バネ部３の案内面３１４を押圧し、案内面３１４に沿って、磁気ヘッド２をディスク６０が配置される方向の反対側、つまり図４中上方へと押し上げる。
【００７５】
そして、押圧部材５２は、図４に示すように、当該押圧部材５２の先端部の上側に磁気ヘッド２を載置した状態で摺動を停止する。このとき、磁気ヘッド２は、図４に示すようなアンロード状態となる。このアンロード状態では、板バネ部３の可撓部３３は、図４に示すように真直な状態を保持している。
【００７６】
なお、当該磁気ヘッド装置１の磁気ヘッド２をこのアンロード状態からロード状態へと変位させる場合には、上述した手順と逆の手順で押圧部材５２を図４に示す第２の位置から図３に示す第１の位置へと変位させればよい。この動作により、磁気ヘッド２および板バネ部３と押圧部材５２とが離間するとともに、板バネ部３の復元力（弾性力）により磁気ヘッド２が下降し、図３に示すようなロード状態となる。
【００７７】
最後に、本発明は、上述した実施形態に限定されることはなく、特許請求の範囲に記載された範囲で種々の変更及び改良が可能であることは言うまでもない。例えば、本発明の磁気ヘッド装置をフロッピーディスク（「フロッピー」は、登録商標）などの磁気ディスク装置に搭載することが可能である。
【００７８】
【発明の効果】
以上述べたように、本発明によれば、磁気ヘッドを昇降させる変位手段が板バネ部の基端側と先端側との間を摺動するよう構成されていることから、従来の構造のように、磁気ヘッドを昇降させるための変位手段が上下に昇降するよう構成された構造と比較し、上下方向、すなわちディスクの厚さ方向のスペースを小さくすることができることから、当該磁気ヘッド装置が搭載されるディスク装置の小型化・薄型化を図ることができる。
【図面の簡単な説明】
【図１】本発明の磁気ヘッド装置の全体構造を示す上面図である。
【図２】本発明の磁気ヘッド装置の全体構成を示す下面図である。
【図３】本発明の磁気ヘッド装置の磁気ヘッドのロード状態を示す側面図である。
【図４】本発明の磁気ヘッド装置の磁気ヘッドのアンロード状態を示す側面図である。
【図５】本発明の磁気ヘッド装置の磁気ヘッドが上方へ跳ね上げられた状態を示す側面図である。
【図６】本発明の磁気ヘッド装置に係る板バネ部を示す平面図である。
【図７】本発明の磁気ヘッド装置に係る板バネ部を示す側面図である。
【図８】図３のＡ−Ａ′線断面図である。
【図９】図５のＢ−Ｂ′線断面図である。
【図１０】本発明の磁気ヘッド装置に係る規制部材を示す平面図である。
【図１１】従来の磁気ヘッド装置の磁気ヘッドのロード状態を示す側面図である。
【図１２】従来の磁気ヘッド装置の磁気ヘッドのアンロード状態を示す側面図である。
【符号の説明】
１      磁気ヘッド装置
２      磁気ヘッド
２１    スライダ
３      板バネ部
３１    磁気ヘッド固定部
３１１  開口
３１２  上側片
３１３  下側片
３１４  案内面
３２    胴部
３３    可撓部
３３１  折曲部
３３２  切込部
３３３  内側部分
３３４  端部
３４    基部
４      規制部材
４１    先端部
４１１  規制部
４１２  腕部
４２    中央部
４３    脚部
５１    保持部材
５２    押圧部材
５３    フレキシブルプリント配線板
６０    ディスク
６１    カバー
６２    シャーシ
７    磁気ヘッド装置
７１  磁気ヘッド
７２  支持部材
７３  保持部材
７４  軸
７５  昇降レバー
７６  ディスク
７７  シャーシ
【図１】
0003812825.tif 000002
【図２】
0003812825.tif 000003
【図３】
0003812825.tif 000004
【図４】
0003812825.tif 000005
【図５】
0003812825.tif 000006
【図６】
0003812825.tif 000007
【図７】
0003812825.tif 000008
【図８】
0003812825.tif 000009
【図９】
0003812825.tif 000010
【図１０】
0003812825.tif 000011
【図１１】
0003812825.tif 000012
【図１２】
0003812825.tif 000013